(57)【要約】【課題】ボビンの整理保管を容易にできるボビン保持部材と、当該ボビン保持部材を利用してボビン以外の付属品も十分に収納できる収納ケースとを提供する。【解決手段】ボビン保持クリップ１０は、ボビンを保持する弾性変形可能な略Ｃ字状の部分円筒形状に形成された本体部１１を備える。本体部１１の外周面には、第１嵌合部１６、第１被嵌合部１７、第２被嵌合部１８、第２嵌合部が設けられている。第１嵌合部１６及び第２嵌合部は先端が断面Ω字状に膨出している。第１被嵌合部１７及び第２被嵌合部１８は断面Ｃ字状に形成されている。これにより第１嵌合部１６と他のボビン保持クリップ１０の第２被嵌合部１８とを嵌合させることで、複数のボビン保持クリップ１０を並列方向に連接できる。そして連接した状態で整理箱等に収納すれば、ボビン保持クリップ１０が散在しないので整理保管が容易となる。【選択図】図１
2009022360.tif 000002
【特許請求の範囲】
【請求項１】
ボビンを保持するボビン保持部材であって、前記ボビンの中央胴部の両端に設けられた鍔部の外周を着脱可能に保持する本体部を備え、
当該本体部には、
嵌合部と、
他のボビン保持部材に設けられた嵌合部に嵌合される被嵌合部と
が設けられていることを特徴とするボビン保持部材。
【請求項２】
前記本体部には、一組の前記嵌合部及び前記被嵌合部が、複数組設けられていることを特徴とする請求項１に記載のボビン保持部材。
【請求項３】
前記本体部は、弾性変形可能であると共に、略Ｃ字状の部分円筒形状に形成され、
前記ボビンの前記鍔部が、前記本体部の内側に押し込まれて挟持されることを特徴とする請求項１又は２に記載のボビン保持部材。
【請求項４】
前記嵌合部は、凸状に形成され、
前記被嵌合部は、凹状に形成され、
前記被嵌合部の内側に前記嵌合部が嵌合することを特徴とする請求項１乃至３の何れかに記載のボビン保持部材。
【請求項５】
ミシンの付属品を収納する収納ケースであって、
底壁と、
当該底壁の外周縁から立設された側壁と
を備え、
前記側壁の内側面には、請求項１乃至４の何れかに記載のボビン保持部材に設けられた前記嵌合部又は前記被嵌合部に嵌合するケース側嵌合部が設けられていることを特徴とする収納ケース。
【請求項６】
前記ケース側嵌合部は、リブ状に形成されていることを特徴とする請求項５に記載の収納ケース。
【請求項７】
前記収納ケースは平面視略矩形状に形成され、
前記ケース側被嵌合部は、前記側壁の角部近傍の内側面に沿って設けられたことを特徴とする請求項５又は６に記載の収納ケース。
【請求項８】
ミシンの付属品を収納する収納ケースであって、
一面が開口されたケース本体と、
当該ケース本体の開口面を覆う蓋と
を備え、
当該蓋の裏面には、請求項１乃至４の何れかに記載のボビン保持部材に設けられた前記嵌合部又は前記被嵌合部に嵌合する蓋側嵌合部が設けられていることを特徴とする収納ケース。
【発明の詳細な説明】
【技術分野】
【０００１】
本発明は、ミシンに使用するボビンを保持するボビン保持部材及び収納ケースに関する。
【背景技術】
【０００２】
従来より、ミシンに使用するボビン（糸巻）は、ミシン本体に付属する収納ケースや整理箱等に収納されるのが一般的である。しかし、収納ケースや整理箱の中でボビンに巻いた糸が解けて絡まることがあり、ボビンを取り出して使用する際には、絡まった糸を解いたり、ボビンから解けた糸を手で巻き直す必要があり、煩雑であった。そこで例えば、金属板等の板の両端を外方向に折り曲げ、一方が開放する円型状に成型された糸巻用クリップが提案されている（例えば、特許文献１参照）。この糸巻用クリップの内側に、ボビンの胴部を押し込むことによってボビンが挟持されるようになっている。そしてこの様な糸巻用クリップを、収納ケースや整理箱の内側に接着剤で複数固定することによって、複数のボビンを容易に整理して保管することができる。この他にも、ボビンの中央胴部を左右から挾持する断面Ｕ字形のボビン挟止片を、箱の内側底面に列設したボビン整理箱の構造も提案されている（例えば、特許文献２参照）。
【特許文献１】実開昭４８−９８３６１号公報
【特許文献２】実開昭５１−２８２４３号公報
【発明の開示】
【発明が解決しようとする課題】
【０００３】
しかしながら、特許文献１に記載の糸巻用クリップは、整理箱等の内側に固定されることによってボビンを整理保管できるのであって、固定せずにそのままの状態で糸巻用クリップを収納した場合は、糸巻用クリップは整理箱の中で散在してしまうので、整理保管ができないという問題点があった。さらに、整理箱等の内側に接着剤で一度固定してしまうと、糸巻用クリップを再度取り外すことができないため、整理箱の中におけるボビンの収納スペースは決まってしまう。そのため、ボビン以外の付属品（例えば、ハサミ、各種押え、針、ドライバー等）を整理箱に新たに収納できないという使い勝手の悪さもあった。また、特許文献２に記載のボビン整理箱では、ボビン挟止片は箱の内側底面に列設されているので、整理箱の内側の大部分がボビンの収納スペースとなっている。よって、前記糸巻用クリップと同様に、ボビン以外の付属品を収納できないという問題点があった。
【０００４】
本発明は、上述の問題点を解決するためになされたものであり、ボビンの整理保管を容易にできるボビン保持部材と、当該ボビン保持部材を利用してボビン以外の付属品も十分に収納できる収納ケースとを提供することを目的とする。
【課題を解決するための手段】
【０００５】
上記目的を達成するために、請求項１に係る発明のボビン保持部材は、ボビンを保持するボビン保持部材であって、前記ボビンの中央胴部の両端に設けられた鍔部の外周を着脱可能に保持する本体部を備え、当該本体部には、嵌合部と、他のボビン保持部材に設けられた嵌合部に嵌合される被嵌合部とが設けられている。
【０００６】
また、請求項２に係る発明のボビン保持部材は、請求項１に記載の発明の構成に加え、前記本体部には、一組の前記嵌合部及び前記被嵌合部が、複数組設けられている。
【０００７】
また、請求項３に係る発明のボビン保持部材は、請求項１又は２に記載の発明の構成に加え、前記本体部は、弾性変形可能であると共に、略Ｃ字状の部分円筒形状に形成され、前記ボビンの前記鍔部が、前記本体部の内側に押し込まれて挟持されることを特徴とする。
【０００８】
また、請求項４に係る発明のボビン保持部材は、請求項１乃至３の何れかに記載の発明の構成に加え、前記嵌合部は、凸状に形成され、前記被嵌合部は、凹状に形成され、前記被嵌合部の内側に前記嵌合部が嵌合することを特徴とする。
【０００９】
また、請求項５に係る発明の収納ケースは、ミシンの付属品を収納する収納ケースであって、底壁と、当該底壁の外周縁から立設された側壁とを備え、前記側壁の内側面には、請求項１乃至４の何れかに記載のボビン保持部材に設けられた前記嵌合部又は前記被嵌合部に嵌合するケース側嵌合部が設けられている。
【００１０】
また、請求項６に係る発明の収納ケースは、請求項５に記載の発明の構成に加え、前記ケース側嵌合部は、リブ状に形成されていることを特徴とする。
【００１１】
また、請求項７に係る発明の収納ケースは、請求項５又は６に記載の発明の構成に加え、前記収納ケースは平面視略矩形状に形成され、前記ケース側被嵌合部は、前記側壁の角部近傍の内側面に沿って設けられている。
【００１２】
また、請求項８に係る発明の収納ケースは、ミシンの付属品を収納する収納ケースであって、一面が開口されたケース本体と、当該ケース本体の開口面を覆う蓋とを備え、当該蓋の裏面には、請求項１乃至４の何れかに記載のボビン保持部材に設けられた前記嵌合部又は前記被嵌合部に嵌合する蓋側嵌合部が設けられている。
【発明の効果】
【００１３】
請求項１に係る発明のボビン保持部材では、本体部に設けられた嵌合部を、他のボビン保持部材に設けられた被嵌合部に嵌合させることで、ボビン保持部材同士を連接させることができる。よって、引き出し等の中に複数のボビン保持部材を互いに連接させた状態で収納すれば、ボビン保持部材が散在するのを防止できる。これによりボビンを整理して保管できる。また、ボビン保持部材に保持されたボビンに巻回された糸の色や、種類によって、複数のボビン保持部材をグループ分けし、それらグループの中でボビン保持部材同士を連接してもよい。これにより作業台上に複数のボビンを整理して配置できるので、所望の糸のボビンを容易に見付け出すことができる。
【００１４】
また、請求項２に係る発明のボビン保持部材では、請求項１に記載の発明の効果に加え、本体部には、一組の嵌合部及び被嵌合部が複数組設けられているので、１個のボビン保持部材に対して複数のボビン保持部材を連接できる。これにより連接形態を種々変更できるので、収納スペース又は配置スペースに合わせて複数の保持部材を収納又は配置できる。
【００１５】
また、請求項３に係る発明のボビン保持部材は、請求項１又は２に記載の発明の効果に加え、略Ｃ字状の部分円筒形状に形成された本体部は弾性変形可能であるので、ボビンの中央胴部を本体部の内側に押し込むことによって本体部にボビンの鍔部を挟持させることができる。これによりボビンをボビン保持部材に確実に保持させることができる。
【００１６】
また、請求項４に係る発明のボビン保持部材は、請求項１乃至３の何れかに記載の発明の効果に加え、凸状の嵌合部が、凹状の被嵌合部の内側に嵌合するので、ボビン保持部材同士を確実に連接することができる。
【００１７】
また、請求項５に係る発明の収納ケースは、側壁の内面にケース側嵌合部が設けられているので、ボビン保持部材を収納ケースに着脱可能に取り付けることができる。これにより、収納するボビンの数に応じて、ボビン保持部材の取り付ける数を自由に調整できる。さらに、ボビン保持部材は側壁の内側面に取り付けられるので、収納ケースの中央に空間を形成することができる。よってその空間にミシンの付属品を収納できる。
【００１８】
また、請求項６に係る発明の収納ケースは、請求項５に記載の発明の効果に加え、ケース側嵌合部のリブ状に形成されており、このリブ状の嵌合部が、ボビン保持部材に設けられた嵌合部又は被嵌合部と嵌合するので、ボビン保持部材を収納ケースの側壁に確実に取り付けることができる。
【００１９】
また、請求項７に係る発明の収納ケースは、請求項５又は６に記載の発明の効果に加え、ケース側被嵌合部は、側壁の角部近傍の内側面に沿って設けられているので、収納ケースの中央により大きな空間を形成することができる。
【００２０】
また、請求項８に係る発明の収納ケースは、蓋の裏面に蓋側嵌合部が設けられているので、ボビン保持部材を蓋の裏面に着脱可能に取り付けることができる。これにより、ケース本体には、ボビン以外のミシン付属品を収納し、蓋の裏面にボビンを保持させることができる。さらに収納するボビンの数に応じて、ボビン保持部材の取り付ける数を自由に調整できる。
【発明を実施するための最良の形態】
【００２１】
以下、本発明の第１，第２実施形態であるボビン保持クリップ１０，２０と、第３，第４実施形態である収納ケース３０，５０について、図面を参照して順に説明する。なお、第１，第２実施形態であるボビン保持クリップ１０，２０は、糸を巻回する周知のボビン６０（図７参照）を保持するものである。また、第３，第４実施形態である収納ケース３０，５０は、ボビン保持クリップ１０（２０）を着脱可能に取り付けることによって、ボビン６０を含むミシン付属品を整理して収納できるものである。
【００２２】
はじめに、第１実施形態であるボビン保持クリップ１０について、図１乃至図６を参照して説明する。図１は、ボビン保持クリップ１０の斜視図であり、図２は、ボビン保持クリップ１０の正面図であり、図３は、ボビン保持クリップ１０の平面図であり、図４は、ボビン保持クリップ１０の右側面図であり、図５は、ボビン保持クリップ１０の左側面図であり、図６は、ボビン保持クリップ１０の底面図である。
【００２３】
まず、ボビン保持クリップ１０の構造について説明する。図１，図２に示すように、ボビン保持クリップ１０は、弾性変形可能な合成樹脂で略Ｃ字状に形成された本体部１１を備えている。そしてこの本体部１１の開口を上側に向けた状態で、本体部１１の幅方向に直交する方向の開口に臨む両端には、右側方に向かって断面半円状に膨出する右側開口端部１２と、左側方に向かって断面半円状に膨出する左側開口端部１３とが各々設けられている。さらに本体部１１の内側の半径の大きさは、ボビン６０の鍔部６２の半径よりもやや小さく調整されている。そして本体部１１の内周面の幅方向中央部には、図７に示すボビン６０の中央胴部６１の長さに相当する幅を有する肉厚部１５が設けられている。
【００２４】
また、図１乃至図６に示すように、本体部１１の右側の外周面の上段には、本体部１１の幅方向に延設されると共に、右側方に突出し、突出する先端がΩ字状に膨出する第１嵌合部１６が設けられている。さらにその第１嵌合部１６の下側には、本体部１１の幅方向に延設されると共に、断面Ｃ字状に形成され、右斜め下方に開口を向けた第１被嵌合部１７が設けられている。他方、本体部１１の左側の外周面の上段には、本体部１１の幅方向に延設されると共に、断面Ｃ字状に形成され、左側方に開口を向けた第２被嵌合部１８が設けられている。さらに、その第２被嵌合部１８の下側には、本体部１１の幅方向に延設されると共に、左側方に突出し、突出する先端がΩ字状に膨出する第２嵌合部１９が設けられている。
【００２５】
そして、第１嵌合部１６及び第２嵌合部１９は、他のボビン保持クリップ１０の第１被嵌合部１７及び第２被嵌合部１８の何れにも嵌合できるようになっている。なお、図２に示すように、第１嵌合部１６の中心位置（Ω字状の部分円柱の中心位置）及び第２被嵌合部１８の中心位置（断面Ｃ字状の部分円筒の中心位置）は、略同じ高さで、且つ本体部１１の中心位置（略Ｃ字状の部分円筒の中心位置）を通る平面上又はその近傍に位置するように配置されている。これにより、複数のボビン保持クリップ１０を横一列に連接させることができる。なお、複数のボビン保持クリップ１０を連接する方法については後述する。
【００２６】
また、第１被嵌合部１７、第２嵌合部１９、及び本体部１１の夫々の最も下方となる位置が略同一平面上になるように、第１被嵌合部１７と第２嵌合部１９とが夫々配置されている。これによりボビン保持クリップ１０を、図２に示すような姿勢のまま作業台のような平面に置いた時に転がってしまうようなことがなく、安定して置いておくことができる。
【００２７】
次に、上記構造からなるボビン保持クリップ１０にボビン６０を保持させる方法について、図１，図７，図８を参照して説明する。図７は、ボビン保持クリップ１０にボビン６０が保持された状態を示す斜視図であり、図８は、ボビン保持クリップ１０に糸７０が巻回されたボビン６０が保持された状態を示す斜視図である。
【００２８】
まず、図１に示すボビン保持クリップ１０の開口に対して、ボビン６０の中央胴部６１が対向するように配置する。次いで、ボビン６０の鍔部６２，６２を、ボビン保持クリップ１０の開口に押し込む。すると、ボビン６０の鍔部６２，６２が、ボビン保持クリップ１０の右側開口端部１２及び左側開口端部１３の各内面に当接するので、右側開口端部１２及び左側開口端部１３が外側に押し広げられる。さらに鍔部６２，６２が押し込まれると、それらの外縁がボビン保持クリップ１０の本体部１１の内周面に当接する。そして、図７に示すように、ボビン６０がボビン保持クリップ１０の内側に保持される。さらにこの状態では、ボビン保持クリップ１０の本体部１１は押し広げられているので、本体部１１の弾性復帰力によってボビン６０は周囲から挟まれるので確実に保持される。そしてこの状態では、ボビン６０の鍔部６２，６２が、ボビン保持クリップ１０の肉厚部１５の縁に各々係止するので、ボビン６０の抜けを防止することができる。
【００２９】
また、図８に示すように、糸７０が巻回されたボビン６０を、ボビン保持クリップ１０に保持させた場合は、糸７０の先端を、ボビン６０の片方の鍔部６２の外縁と、ボビン保持クリップ１０の本体部１１の内周面との間から引き出しておく。これにより、糸７０の先端が、鍔部６２の外縁と本体部１１の内周面との間に挟まれて保持されるので、糸７０が解けるのを防止することができる。
【００３０】
次に、３個のボビン保持クリップ１０Ａ，１０Ｂ，１０Ｃを連接する方法について、図９乃至図１１を参照して説明する。図９は、３個のボビン保持クリップ１０Ａ〜１０Ｃを並列方向に連接した状態を示す斜視図であり、図１０は、３個のボビン保持クリップ１０Ａ〜１０Ｃを並列方向に連接した状態を示す正面図であり、図１１は、３個のボビン保持クリップ１０Ａ〜１０Ｃの他の連接形態を示す正面図である。図９，図１０に示すように、例えば、ボビン保持クリップ１０Ａを左側に、ボビン保持クリップ１０Ｂを中央に、ボビン保持クリップ１０Ｃを右側に、横一列に配置する。このとき、ボビン保持クリップ１０Ａの第１嵌合部１６と、ボビン保持クリップ１０Ｂの第１嵌合部１６及び第２被嵌合部１８と、ボビン保持クリップ１０Ｃの第２被嵌合部１８とは全て同じ高さ位置になっている。
【００３１】
そこで、ボビン保持クリップ１０Ａの第１嵌合部１６を、ボビン保持クリップ１０Ｂの第２被嵌合部１８の内側に押し込んで嵌合させる。こうして、ボビン保持クリップ１０Ａと、ボビン保持クリップ１０Ｂとを連接することができる。次いで、ボビン保持クリップ１０Ｃの第２被嵌合部１８の内側に、ボビン保持クリップ１０Ｂの第１嵌合部１６を押し込んで嵌合させる。こうして、ボビン保持クリップ１０Ａと、ボビン保持クリップ１０Ｂと、ボビン保持クリップ１０Ｃとを横方向に連接することができる。このとき、ボビン保持クリップ１０Ａ，１０Ｂ，１０Ｃの夫々の右側開口端部１２と左側開口端部１３とが夫々接触する状態となる。このため、中央のボビン保持クリップ１０Ｂに対して、左側のボビン保持クリップ１０Ａは、ボビン保持クリップ１０Ａの第１嵌合部１６を中心として反時計回り方向には回転可能だが、時計回り方向には回転不能である。また、右側のボビン保持クリップ１０Ｃは、ボビン保持クリップ１０Ｃの第２被嵌合部１８を中心として時計回り方向には回転可能だが、反時計回り方向には回転不能である。従って、図１０に示すような姿勢のまま作業台のような平面に置いたときに、ボビン保持クリップ１０Ａ，１０Ｂ，１０Ｃを、連接姿勢が保持された状態で安定して置いておくことができる。
【００３２】
また、ボビン保持クリップ１０の本体部１１の外周面には、第１嵌合部１６、第１被嵌合部１７、第２被嵌合部１８、第２嵌合部１９が設けられている。これにより一つのボビン保持クリップ１０に対して、右側、左側、右下側、左下側の４方向に並列させて、他のボビン保持クリップ１０を連接することができる。例えば、図１１に示すように、ボビン保持クリップ１０Ｂとボビン保持クリップ１０Ｃとを横方向に連接し、ボビン保持クリップ１０Ａのみを、ボビン保持クリップ１０Ｂの左下側に連接させることもできる。この場合、ボビン保持クリップ１０Ｂの第２嵌合部１９に、ボビン保持クリップ１０Ａの第２被嵌合部１７を嵌合させればよい。このように、第１被嵌合部１７及び第２嵌合部１９を利用することによって種々の連接形態をとることができる。なお、本実施例では、３個のボビン保持クリップ１０の連接形態について説明したが、２個、４個、又はそれ以上のボビン保持クリップ１０を種々の形態で連接可能であることは言うまでもない。
【００３３】
以上説明したように、第１実施形態のボビン保持クリップ１０は、弾性変形可能な合成樹脂でＣ字状に形成された本体部１１を備えている。そしてこの本体部１１の外周面には、第１嵌合部１６、第１被嵌合部１７、第２被嵌合部１８、第２嵌合部１９が設けられている。これにより一つのボビン保持クリップ１０に対して、右側、左側、右下側、左下側の４方向に並べて、他のボビン保持クリップ１０を連接することができる。そして、例えば、引き出し等の中に複数のボビン保持クリップ１０を互いに連接させた状態で収納すれば、ボビン保持クリップ１０が散在するのを防止できる。これによりボビン６０を整理して保管できる。また、ボビン保持クリップ１０に保持されたボビン６０に巻回された糸７０の色や、種類によって、複数のボビン保持クリップ１０をグループ分けし、それらグループの中でボビン保持クリップ１０同士を連接してもよい。これにより作業台上に複数のボビン６０を整理して配置できるので、所望の糸７０のボビン６０を容易に見付け出すことができる。
【００３４】
次に、第２実施形態であるボビン保持クリップ２０について、図１２乃至図１６を参照して説明する。図１２は、ボビン保持クリップ２０の斜視図であり、図１３は、ボビン保持クリップ２０の正面図であり、図１４は、３個のボビン保持クリップ２０Ａ〜２０Ｃを縦列方向に連接した状態を示す斜視図であり、図１５は、３個のボビン保持クリップ２０Ａ〜２０Ｃを縦列方向に連接した状態を示す平面図であり、図１６は、９個のボビン保持クリップ２０Ａ〜２０Ｉを縦列及び並列の２方向に連接した状態を示す斜視図である。
【００３５】
なお、ボビン保持クリップ２０は、第１実施形態であるボビン保持クリップ１０の変形例であり、並列方向のみならず、縦列方向にも他のボビン保持クリップ２０を連接させることができる。そしてボビン保持クリップ２０は、ボビン保持クリップ１０の構造に新たな構成要素を付け加えたものである。そこで以下の説明では、第１実施形態のボビン保持クリップ１０と同じ構造部分については同符号を付して説明を省略し、新たな構成部分とその機能を中心に説明する。
【００３６】
図１２，図１３に示すように、ボビン保持クリップ２０は、図１に示す第１実施形態のボビン保持クリップ１０の構造と機能を全て備えている。そして、本体部１１の断面半円状に膨出する右側開口端部１２の後端部の中心には、該右側開口端部１２の径よりも小径で、かつ後方に突出する円柱状の突起部２１が設けられている。さらに右側開口端部１２の前端部には、窪んだ正面視円形状の嵌合穴２２が設けられている。この突起部２１の中心軸線と嵌合穴２２の中心軸線とは同一線上となるように設けられている。そして、突起部２１は、他のボビン保持クリップ２０の嵌合穴２２に嵌合するようになっている。
【００３７】
他方、本体部１１の断面半円状に膨出する左側開口端部１３の前端部の中心にも、該左側開口端部１３の径よりも小径で、かつ前方に突出する円柱状の突起部２５が設けられている。さらに左側開口端部１３の後端部には、窪んだ正面視円形状の嵌合穴２６が設けられている。この突起部２５の中心軸線と嵌合穴２６の中心軸線とは同一線上となるように設けられている。そして、突起部２５は、他のボビン保持クリップ２０の嵌合穴２６に嵌合するようになっている。
【００３８】
次に、３個のボビン保持クリップ２０Ａ，２０Ｂ，２０Ｃを縦列方向に連接する方法について、図１４，図１５を参照して説明する。例えば、前方から後方に向かって順に、ボビン保持クリップ２０Ａ、ボビン保持クリップ２０Ｂ、ボビン保持クリップ２０Ｃを配置する。このとき、ボビン保持クリップ２０Ａの突起部２１は、ボビン保持クリップ２０Ｂの嵌合穴２２に対向する。さらにボビン保持クリップ２０Ａの嵌合穴２６は、ボビン保持クリップ２０Ｂの突起部２５に対向する。また、ボビン保持クリップ２０Ｂの突起部２１は、ボビン保持クリップ２０Ｃの嵌合穴２２に対向する。さらにボビン保持クリップ２０Ｂの嵌合穴２６は、ボビン保持クリップ２０Ｃの突起部２５に対向する。
【００３９】
そこで、まず、ボビン保持クリップ２０Ａを、ボビン保持クリップ２０Ｂの前側に対して押し込む。すると、ボビン保持クリップ２０Ａの突起部２１が、ボビン保持クリップ２０Ｂの嵌合穴２２に嵌合する。さらにボビン保持クリップ２０Ａの嵌合穴２６に、ボビン保持クリップ２０Ｂの突起部２５が嵌合する。こうしてボビン保持クリップ２０Ａとボビン保持クリップ２０Ｂとを縦列方向に連接することができる。次いで、ボビン保持クリップ２０Ｃを、ボビン保持クリップ２０Ｂの後ろ側に対して押し込む。すると、ボビン保持クリップ２０Ｂの突起部２１が、ボビン保持クリップ２０Ｃの嵌合穴２２に嵌合する。さらにボビン保持クリップ２０Ｂの嵌合穴２６に、ボビン保持クリップ２０Ｃの突起部２５が嵌合する。こうして、ボビン保持クリップ２０Ａと、ボビン保持クリップ２０Ｂと、ボビン保持クリップ２０Ｃとを縦列方向に連接することができる。
【００４０】
また、ボビン保持クリップ２０は、第１実施形態のボビン保持クリップ１０の構造を全て備えているので、縦列方向のみならず、並列方向にも連接させることができる。例えば、図１６に示すように、９個のボビン保持クリップ２０Ａ〜２０Ｉを、縦列及び並列の２方向に連接させることができる。図１６では、縦列方向に連接させた３個のボビン保持クリップ２０Ａ〜２０Ｃ、ボビン保持クリップ２０Ｄ〜２０Ｆ、ボビン保持クリップ２０Ｇ〜Ｉを、並列方向に互いに連接させた状態を示している。このように複数のボビン保持クリップ２０を縦列及び並列の２方向に連接可能であるので、より多くの連接形態をとることができる。
【００４１】
以上説明したように、第２実施形態のボビン保持クリップ２０は、第１実施形態であるボビン保持クリップ１０の変形例である。ボビン保持クリップ２０の右側開口端部１２の後端には突起部２１が設けられ、前端には他のボビン保持クリップ２０の突起部２１が嵌合する嵌合穴２２が設けられている。他方、左側開口端部１３の前端には突起部２５が設けられ、後端には他のボビン保持クリップ２０の突起部２５が嵌合する嵌合穴２６が設けられている。このような構造を備えることによって、並列方向のみならず、縦列方向にも他のボビン保持クリップ２０連接させることができる。
【００４２】
次に、第３実施形態である収納ケース３０について、図１７，図１８を参照して説明する。図１７は、収納ケース３０の斜視図であり、図１８は、収納ケース３０の平面図である。なお、ミシン付属品とは、ミシンに使用されるボビンや、各種押え、糸を裁断するハサミ、針、ドライバー等の各種部品をいうものとする。そして、収納ケース３０は、これらミシン付属品を整理して収納するものである。
【００４３】
図１７，図１８に示すように、収納ケース３０は、天面が開放された略直方体状の箱である。収納ケース３０は、平面視略矩形状の底壁３１と、該底壁３１の外周縁に立設された側壁３２とからなる。さらに側壁３２は、前壁３２ａと、右側壁３２ｂと、左側壁３２ｃと、背壁３２ｄとからなる。そして、前壁３２ａと右側壁３２ｂとが連結する角部、前壁３２ａと左側壁３２ｃとが連結する角部、背壁３２ｄと右側壁３２ｂとが連結する角部、及び背壁３２ｄと左側壁３２ｃとが連結する角部は、夫々曲面に形成されている。
【００４４】
そして、前壁３２ａの内面の左側には、前壁３２ａと左側壁３２ｃとが連結する角部近傍に沿って延設され、背壁３２ｄに向かって突出すると共に、先端が断面Ω字状に膨出するリブ４１が設けられている。さらに前壁３２ａの内面の右側には、前壁３２ａと右側壁３２ｂとが連結する角部近傍に沿って延設され、背壁３２ｄに向かって突出すると共に、先端が断面Ω字状に膨出するリブ４２が設けられている。また、背壁３２ｄの内面の左側には、背壁３２ｄと左側壁３２ｃとが連結する角部近傍に沿って延設され、前壁３２ａに向かって突出すると共に、先端が断面Ω字状に膨出するリブ４３が設けられている。さらに背壁３２ｄの内面の右側には、背壁３２ｄと右側壁３２ｂとが連結する角部近傍に沿って延設され、前壁３２ａに向かって突出すると共に、先端が断面Ω字状に膨出するリブ４４が設けられている。そしてリブ４１〜４４の断面形状は、ボビン保持クリップ１０の第１嵌合部１６及び第２嵌合部１９と同じである。即ち、リブ４１〜４４に対して、ボビン保持クリップ１０の第１被嵌合部１７又は第２被嵌合部１８を嵌合させることができる。なお、本実施形態では、リブ４１〜４４は、側壁３２の４つの角部の近傍に沿って各々設けられているが、角部に沿って各々設けてもよいし、側壁３２（前壁３２ａ、右側壁３２ｂ、左側壁３２ｃ、背壁３２ｄ）の略中央部に設けてもよい。
【００４５】
例えば、図１７，図１８に示すように、リブ４１〜４４に対して、ボビン６０を保持したボビン保持クリップ１０の第１被嵌合部１７を嵌合させることによって、複数のボビン保持クリップ１０を取り付けることができる。そして、リブ４１〜４４について、例えば、赤色の糸を保持するボビン保持クリップ１０はリブ４１に、黒色の糸を保持するボビン保持クリップ１０はリブ４２に、白色の糸を保持するボビン保持クリップ１０はリブ４３に、緑色の糸を保持するボビン保持クリップ１０はリブ４４に取り付ければ、複数のボビン６０を整理保管することができる。さらに、ボビン保持クリップ１０は、収納ケース３０の角部近傍に沿って取り付けられるので、収納ケース３０の中央に空間を形成することができる。この形成された空間を他のミシン付属品を収納する収納スペースとして利用することができるので、収納ケース３０の内側の収納空間を有効に利用することができる。
【００４６】
以上説明したように、第３実施形態の収納ケース３０では、側壁３２の４つの角部近傍に沿って、リブ４１〜４４が各々設けられている。これらリブ４１〜４４の断面形状は、ボビン保持クリップ１０の第１嵌合部１６及び第２嵌合部１９と同じである。即ち、リブ４１〜４４に対して、ボビン保持クリップ１０の第１被嵌合部１７又は第２被嵌合部１８を嵌合させることができる。よって、ボビン保持クリップ１０を収納ケース５０の内側面に着脱可能に取り付けることができる。そして、収納ケース５０に収納するボビン６０の数に応じて、ボビン保持クリップ１０の取り付ける数を自由に調整できるので、収納ケース３０の収納空間を適宜変更することができる。つまり、使い勝手の良い収納ケース３０を提供することができる。さらに、ボビン保持クリップ１０は、収納ケース３０の角部近傍に沿って取り付けられるので、収納ケース３０の中央に空間を形成することができる。この形成された空間を他のミシン付属品を収納する収納スペースとして利用することができるので、収納ケース３０の内側の収納空間を有効に利用することができる。
【００４７】
次に、第４実施形態である収納ケース５０について、図１９，図２０を参照して説明する。図１９は、ミシン付属品が収納された収納ケース５０のケース本体５１の斜視図であり、図２０は、蓋５３の裏側を示す斜視図である。
【００４８】
図１９に示す収納ケース５０は、収納ケース３０と同様に天面が開放された略直方体状のケース本体５１を備えている。そして、平面視矩形状の側壁５２を構成する前壁、右側壁、左側壁、背壁の各上端部には、正面視Ｕ字状の切り欠き穴５４が各々設けられている。さらに収納ケース５０の内側には、ミシン付属品を支持するための平面視略矩形状の部品支持板９０が嵌められ、側壁５２の内面の上段に設けられた段部（図示外）に係止されている。この部品支持板９０は所定厚を有する合成樹脂製の板部材である。そしてその上面には各種ミシン付属品の形状に対応する複数の支持穴や、切り欠きが設けられている。例えば、図１９に示す部品支持板９０には、ハサミ８０、ジグザグ押え８１、模様縫い押え８２、たちめかがり押え８３、ボタン付け押え８４、ボタン穴かがり押え８５、刺しゅう押え８６、まつり縫い押え８７、片押え８８が各々支持されている。
【００４９】
そして、このような収納ケース５０には、図２０に示す蓋５３が付設されている。蓋５３は、平面視略矩形状の天壁５５と、該天壁５５の周縁に沿って立設された側壁５６とからなる。さらに側壁５６の内縁に沿って壁状に突出する係合縁５６ａが設けられている。この係合縁５６ａが、収納ケース５０の側壁５２の内面に沿って差し込まれ、蓋５３の側壁５６の端部が、収納ケース５０の側壁５２の上端部に係合することによって、収納ケース５０の上部に蓋５３が覆設される。そしてこのような蓋５３の裏面には、前後方向に互いに平行に延設された一対のリブ７５，７６が各々設けられている。これらリブ７５，７６の各先端は断面Ω字状に膨出しており、ボビン保持クリップ１０の第１嵌合部１６及び第２嵌合部１９の断面形状と同じである。即ち、リブ７５，７６に対して、ボビン保持クリップ１０の第１被嵌合部１７又は第２被嵌合部１８を嵌合させることができる。
【００５０】
例えば、図２０に示すように、リブ７５，７６に対して、ボビン６０を保持した４つのボビン保持クリップ１０の第１被嵌合部１７をそれぞれ嵌合させることによって、蓋５３の裏面に４つのボビン保持クリップ１０を取り付けることができる。そしてボビン保持クリップ１０が取り付けられた蓋５３を、収納ケース５０の上部に覆設した場合、蓋５３の裏面は、収納ケース５０の上部より所定の空間が保持された状態で支持される。つまり、蓋５３の裏面に取り付けられたボビン保持クリップ１０が、部品支持板９０に支持されたミシン付属品と干渉しないようになっている。これにより収納ケース５０の内側の収納スペースを有効に利用することができる。
【００５１】
以上説明したように、第４実施形態の収納ケース５０では、収納ケース５０の開放された上面を覆うための蓋５３が付設されている。この蓋５３の裏面には、前後方向に互いに平行に延設された一対のリブ７５，７６が各々設けられている。これらリブ７５，７６の各先端は断面Ω字状に膨出しており、ボビン保持クリップ１０の第１嵌合部１６及び第２嵌合部１９の断面形状と同じである。即ち、リブ７５，７６に対して、ボビン保持クリップ１０の第１被嵌合部１７又は第２被嵌合部１８を嵌合させることができる。そして、蓋５３の裏面は、収納ケース５０の上部より所定の空間が保持された状態で支持される。つまり、蓋５３の裏面に取り付けられたボビン保持クリップ１０が、部品支持板９０に支持されたミシン付属品と干渉しないようになっている。これにより収納ケース５０の内側の収納スペースを有効に利用することができる。
【００５２】
また、以上説明において、図１，図１２に示すボビン保持クリップ１０，２０が本発明の「ボビン保持部材」に相当する。また、図１７に示す収納ケース３０のリブ４１〜４４が本発明の「ケース側嵌合部」に相当する。さらに、図２０に示す収納ケース５０のリブ７５，７６が本発明の「蓋側嵌合部」に相当する。
【００５３】
なお、本発明は上記実施形態に限定されることなく、種々の変更が可能である。例えば、第１実施形態、第２実施形態では、ボビン保持クリップ１０，２０には、２つの嵌合部（第１嵌合部１６、第１被嵌合部１７）と、２つの（第２被嵌合部１８、第２嵌合部１９）が設けられているが、少なくとも一組の嵌合部及び被嵌合部を設ければよい。またこれ以上の数の嵌合部及び被嵌合部を設けてもよい。
【００５４】
また、ボビン保持クリップ１０，２０の第１嵌合部１６の中心位置（Ω字状の部分円柱の中心位置）及び第２被嵌合部１８の中心位置（断面Ｃ字状の部分円筒の中心位置）は、略同じ高さで、且つ本体部１１の中心位置（略Ｃ字状の部分円筒の中心位置）を通る平面上又はその近傍に位置するように配置されていたが、図７に示すように、ボビン６０を保持した状態のとき、第１嵌合部１６の中心位置及び第２被嵌合部１８の中心位置は、ボビン６０の中心位置を通る平面上又はその近傍に位置するように配置されていてもよい。
【００５５】
また、第３，第４実施形態の収納ケース３０，５０では、第１実施形態のボビン保持クリップ１０を取り付けた場合について説明したが、ボビン保持クリップ２０を取り付けることもできることは言うまでもない。
【００５６】
また、第３，第４実施形態の収納ケース３０，５０に設けられたリブ４１〜４４，７５，７６の断面形状は、ボビン保持クリップ１０の第１嵌合部１６及び第２嵌合部１９の断面形状と同じ形状であるΩ字状ではなく、第１被嵌合部１７及び第２被嵌合部１８の断面形状と同じ形状であるＣ字状であってもよい。この場合には、リブ４１〜４４，７５，７６に対して第１嵌合部１６又は第２嵌合部１９を嵌合させることができる。
【００５７】
また、第３，第４実施形態の収納ケース３０，５０に設けられたリブの本数は、４本，２本に限定されるものではなく、収納ケース３０，５０の大きさに応じて適宜変更してもよい。
【産業上の利用可能性】
【００５８】
本発明に係るボビン保持部材は、ミシンに使用されるボビンを整理保管する場合に利用可能である。
【図面の簡単な説明】
【００５９】
【図１】ボビン保持クリップ１０の斜視図である。
【図２】ボビン保持クリップ１０の正面図である。
【図３】ボビン保持クリップ１０の平面図である。
【図４】ボビン保持クリップ１０の右側面図である。
【図５】ボビン保持クリップ１０の左側面図である。
【図６】ボビン保持クリップ１０の底面図である。
【図７】ボビン保持クリップ１０にボビン６０が保持された状態を示す斜視図である。
【図８】ボビン保持クリップ１０に糸７０が巻回されたボビン６０が保持された状態を示す斜視図である。
【図９】３個のボビン保持クリップ１０Ａ〜１０Ｃを並列方向に連接した状態を示す斜視図である。
【図１０】３個のボビン保持クリップ１０Ａ〜１０Ｃを並列方向に連接した状態を示す正面図である。
【図１１】３個のボビン保持クリップ１０Ａ〜１０Ｃの他の連接形態を示す正面図である。
【図１２】ボビン保持クリップ２０の斜視図である。
【図１３】ボビン保持クリップ２０の正面図である。
【図１４】３個のボビン保持クリップ２０Ａ〜２０Ｃを縦列方向に連接した状態を示す斜視図である。
【図１５】３個のボビン保持クリップ２０Ａ〜２０Ｃを縦列方向に連接した状態を示す平面図である。
【図１６】９個のボビン保持クリップ２０Ａ〜２０Ｉを縦列及び並列の２方向に連接した状態を示す斜視図である。
【図１７】収納ケース３０の斜視図である。
【図１８】収納ケース３０の平面図である。
【図１９】ミシン付属品が収納された収納ケース５０のケース本体５１の斜視図である。
【図２０】蓋５３の裏側を示す斜視図である。
【符号の説明】
【００６０】
１０        ボビン保持クリップ
１１        本体部
１６        第１嵌合部
１７        第１被嵌合部
１８        第２被嵌合部
１９        第２嵌合部
２０        ボビン保持クリップ
３０        収納ケース
３１        底壁
３２        側壁
４１〜４４  リブ
５０        収納ケース
５１        ケース本体
５３        蓋
７５，７６  リブ
【図１】
2009022360.tif 000003
【図２】
2009022360.tif 000004
【図３】
2009022360.tif 000005
【図４】
2009022360.tif 000006
【図５】
2009022360.tif 000007
【図６】
2009022360.tif 000008
【図７】
2009022360.tif 000009
【図８】
2009022360.tif 000010
【図９】
2009022360.tif 000011
【図１０】
2009022360.tif 000012
【図１１】
2009022360.tif 000013
【図１２】
2009022360.tif 000014
【図１３】
2009022360.tif 000015
【図１４】
2009022360.tif 000016
【図１５】
2009022360.tif 000017
【図１６】
2009022360.tif 000018
【図１７】
2009022360.tif 000019
【図１８】
2009022360.tif 000020
【図１９】
2009022360.tif 000021
【図２０】
2009022360.tif 000022